(57)【特許請求の範囲】
【請求項１】
上部枠体と下部枠体から構成され、上部枠体の内側及び下部枠体の内側並びに上部枠体と下部枠体との間の側周面にそれぞれネットが取り付けられた生け簀において、平面からみてプラスチックパイプからなる大型の円周形の上部枠体の内部を中空に形成し、中空の内部を発泡剤からなる仕切りで複数に仕切り、仕切られた内部空間に空気及び海水の出し入れで浮力の調整を図る浮力調整室をそれぞれ設け、上部枠体の円周形中心部に立体型の生け簀全体の上部側を水面上で浮力により水平に安定させる上部中央安定体を配置すると共に、当該上部中央安定体にその周囲の円周形の上部枠体に対して複数の索状を放射状に取り付け、上部枠体の下方側に位置するプラスチックパイプからなる大型の下部枠体の円周形中心部に立体型の生け簀全体の下部側を水面下で重さにより安定させる下部中央安定用錘を、下部枠体に複数の索状によって側面からみて下向きにＶ字型に撓んだ状態で取り付けて配置し、上部枠体の各浮力調整室の上部に空気の出し入れのための空気出入用パイプを設けると共に空気出入用パイプに開閉弁を取り付け、各浮力調整室の下部に海水叉は淡水の出し入れのための水出入用ホースを下向きに突出して設け、水出入用ホースの他端は水中に開通して没していることを特徴とする浮沈式生け簀。
【発明の詳細な説明】
【技術分野】
【０００１】
この発明は、空気及び海水や淡水の出入を利用して海水中や淡水中を昇降するようにした浮沈式生け簀に係り、特に、生け簀の上部枠体に浮力により上向きの力を生じさせると共に、或いは生け簀の上部枠体の浮力及び生け簀の上部枠体の中心部に必要に応じて配置した上部中央安定体に浮力により上向きの力を生じさせると共に、下部枠体の中心部の下方に配置した下部中央安定用錘による下向きの力を生じさせて、生け簀の昇降時に生け簀が傾くのを防止できるようにした浮沈式生け簀に関するものである。
【背景技術】
【０００２】
近年、沿岸海域の養殖漁場は赤潮など環境の悪化が問題となっており沖合養殖の必要性が増している。その沖合養殖で最も安全な施設として浮沈式生け簀が知られている。浮沈式生け簀は、円形、多角形、方形などの形状からなる上部枠体と下部枠体から上下の枠体が構成され、上部枠体の上面、下部枠体の底面、及び上部枠体と下部枠体の間の側周面に、それぞれネットが取り付けられていて、その内部で種々の養殖魚が飼育されている。
浮沈式生け簀は、波浪、台風などで海水面が時化た場合、生け簀が破損して内部の養殖魚が逃げ出すのを防ぐために、海水中に沈めている。そして浮沈式生け簀には、空気と海水を出し入れし浮力を調整して昇降するための中空のパイプが取り付けられている。
【先行技術文献】
【特許文献】
【０００３】
【特許文献１】特開２０１１−１４２８７８
【特許文献２】特開２０１１−０９２１８２
【特許文献３】特許第４４０２７３９
【特許文献４】特開２００３−０５２２７３
【特許文献５】特開２００１−０３２１０１１
【特許文献６】特許第３７６１２５４
【特許文献７】特開平１０−０４６５５９
【特許文献８】特開平０８−２２８６３４
【特許文献９】特開平０７−００００７６
【発明の概要】
【発明が解決しようとする課題】
【０００４】
しかしながら、浮沈式生け簀の昇降は、空気を入れたり出したりして行われているため、何かの拍子で、上部枠体が傾いた場合、パイプの内部の空気は傾いた側の上側に移動してそこで滞留してしまって、低い方には戻らない。その結果、浮沈式生け簀は傾いた状態のままとなり、これを元の水平の状態に戻すために、低い側のパイプ内に強制的に空気を送り込んだり、或いは、高い側のパイプ内に海水を注入したりして、傾いた浮沈式生け簀を元の水平な状態に戻すための作業が必要となるが、その作業は非常に大変であり、叉、危険を伴うこともあった。さらに、浮沈式生け簀が傾くことによって、内部の養殖魚にストレスを与え、生存率の低下を招くこともあった。
【０００５】
この発明は、上記のような課題に鑑み、その課題を解決すべく創案されたものであって、その目的とするところは、生け簀の上部枠体に浮力により上向きの力を生じさせると共に、或いは生け簀の上部枠体の浮力及び生け簀の上部枠体の中心部に必要に応じて配置した上部中央安定体に浮力により上向きの力を生じさせると共に、下部枠体の中心部の下方に配置した下部中央安定用錘による下向きの力を生じさせて、生け簀の昇降時に生け簀が傾くのを防止することのできる浮沈式生け簀を提供することにある。
【課題を解決するための手段】
【０００６】
以上の課題を達成するために、請求項１の発明は、上部枠体と下部枠体から構成され、上部枠体の内側及び下部枠体の内側並びに上部枠体と下部枠体との間の側周面にそれぞれネットが取り付けられた生け簀において、平面からみてプラスチックパイプからなる大型の円周形の上部枠体の内部を中空に形成し、中空の内部を発泡剤からなる仕切りで複数に仕切り、仕切られた内部空間に空気及び海水の出し入れで浮力の調整を図る浮力調整室をそれぞれ設け、上部枠体の円周形中心部に立体型の生け簀全体の上部側を水面上で浮力により水平に安定させる上部中央安定体を配置すると共に、当該上部中央安定体にその周囲の円周形の上部枠体に対して複数の索状を放射状に取り付け、上部枠体の下方側に位置するプラスチックパイプからなる大型の下部枠体の円周形中心部に立体型の生け簀全体の下部側を水面下で重さにより安定させる下部中央安定用錘を、下部枠体に複数の索状によって側面からみて下向きにＶ字型に撓んだ状態で取り付けて配置し、上部枠体の各浮力調整室の上部に空気の出し入れのための空気出入用パイプを設けると共に空気出入用パイプに開閉弁を取り付け、各浮力調整室の下部に海水叉は淡水の出し入れのための水出入用ホースを下向きに突出して設け、水出入用ホースの他端は水中に開通して没している手段よりなるものである。
【発明の効果】
【０００９】
課題を解決するための手段よりなる請求項１の発明に係る浮沈式生け簀によれば、生け簀の上部枠体に浮力により上向きの力を生じさせ且つ生け簀の上部枠体の中心部に配置した上部中央安定体に浮力により上向きの力を生じさせると共に、下部枠体の中心部の下方に下部中央安定用錘による下向きの力を生じさせることにより、生け簀全体の重心位置より上方に位置する上部枠体及び上部中央安定体には浮力によって上向き方向に力が作用し、また、その重心位置より下方に位置する下部中央安定用錘には自重によって下向き方向に力が作用する。
このように、生け簀全体の重心位置を基準に考えると、その上方側では上部枠体及び上部中央安定体の浮力による上向きの力が作用し、その下方側では下部中央安定用錘による下向きの力が作用するため、水面が安定した穏やかな海域ばかりでなく、特に上部中央安定体の働きによって水面が波立つ海域においても、生け簀全体を上下向きに回転させるモーメントが発生することがなく、逆に、生け簀全体を上下向きに回転するのを阻止する方向にモーメントが発生するので、生け簀の昇降時に生け簀の上部側が傾くのをより確実に防止することができる。
これに加えて、立体型の浮沈式生け簀の中心部には、その上部側に上部中央安定体による上向きの力が生じるので、生け簀の昇降時に生け簀の上部側が傾くのを確実に防止することができ、空気の排出時に傾いた浮力調整室の内部に空気が残留して、浮沈式生け簀が沈下しなかったり、空気の圧入時に傾いた浮沈式生け簀の底部側に海水叉は淡水が残留して浮上しないという不都合が生じることもない等、極めて新規的有益なる効果を奏するものである。
【図面の簡単な説明】
【００１０】
【図１】この発明を実施するための形態を示す上部中央安定体を有する浮沈式生け簀の平面図である。
【図２】この発明を実施するための形態を示す上部中央安定体を有する浮沈式生け簀の側面図である。
【図３】この発明を実施するための形態を示す上部中央安定体を有する浮沈式生け簀の上部側の側面図である。
【図４】この発明を実施するための形態を示す上部枠体の側面図である。
【図５】（Ａ）はこの発明を実施するための形態を示す下部中央安定用錘の平面図、同図（Ｂ）は下部中央安定用錘の側面図である。
【図６】この発明を実施するための形態を示す上部中央安定体を有する浮沈式生け簀の作用説明図である。
【発明を実施するための形態】
【００１１】
以下、図面に記載の発明を実施するための形態に基づいて、この発明をより具体的に説明する。
【００１２】
図において、浮沈式生け簀１は、例えば直径が３０ｍ以上の大型生け簀に使用され、空気及び海水や淡水の出入を利用して海水中や淡水中を昇降するもので、波浪、台風などで海水面や淡水面が時化たときには、生け簀が破損して内部の養殖魚が逃げ出すのを防ぐために水面下に沈み、平常時には水面上に浮上させて通常の生け簀として使用できる構造になっている。
【００１３】
浮沈式生け簀１は、上部枠体２と下部枠体３から構成され、上部枠体２と下部枠体３とは上下方向に取り付けられた複数の索状１１によって上下で連結されている。上部枠体２の内側にはネット４が取り付けられている。下部枠体３の内側にもネット４が取り付けられている。さらに上部枠体２と下部枠体３との間の側周面にもネット４が取り付けられている。側周面に取り付けられたネット４の下部は複数の索状１１ａにより下部枠体３に連結されている。これらのネット４により、浮沈式生け簀１の内部、つまり上面、側周面及び底面は囲まれていて、内部の養殖魚類が逃げるのを防いでいる。
【００１４】
さらにまた、平面からみて環状の上部枠体２の環状中心部には上部中央安定体５が配置されている。同様に平面からみて環状の下部枠体３の環状中心部には下部中央安定用錘６が配置されている。上部枠体２及び下部枠体３は平面から見て、環状例えば円周形に形成されている。環状例えば円周形の上部枠体２の内部は浮力を生じやすいように中空に形成されていて、例えばプラスチックパイプが使用されている。上部枠体２の断面は円形になっている。
【００１５】
また、上部枠体２は、例えば図面では円周形のプラスチックパイプが２重の状態で取り付けられている。直径の大きな円周形のプラスチックパイプの内部にこれよりも直径が小さなプラスチックパイプがその内側に取り付けられている。そして、内外の２つのプラスチックパイプは連結されていて、その２重になっている上側には作業用の足場が取り付けられている。さらに、上部枠体２の内側には安全のための手摺２ａが円周方向に取り付けられている。
【００１６】
環状の上部枠体２の中空の内部は等間隔で複数に仕切られている。仕切られた内部には空気及び海水または淡水の出し入れで、浮力の調整を図る浮力調整室２１がそれぞれ設けられている。隣りあう浮力調整室２１は仕切られているが、そこには仕切り２２として機能する例えば発泡剤が充填されて、これにより仕切られている。
【００１７】
浮力調整室２１は環状のパイプの円周上に等間隔で配置され、各浮力調整室２１の間には発泡剤からなる仕切り２２が同様に等間隔で配置されていて、これで仕切られている。発泡剤からなる仕切り２２は、各浮力調整室２１に入れられた空気及び海水または淡水が隣の浮力調整室２１に移動するのを防ぐ役目を果たす。また、発泡剤からなる仕切り２２は、上部枠体２の全体を軽くして、浮力が発生し易い構造にしている。
【００１８】
各浮力調整室２１の上部側には空気の出し入れのための空気出入用パイプ２３の先端が接続されている。空気出入用パイプ２３は図示しない空気供給源に接続されている。この空気を供給する空気出入用パイプ２３には開閉弁２４が取り付けられている。開閉弁２４は空気出入用パイプ２３から供給される空気が浮力調整室２１に流入するのを制御して開閉する。また、開閉弁２４は閉じられることで、浮力調整室２１から空気が空気出入用パイプ２３側に逆流するのを防ぐ機能を果たす。
【００１９】
そして、浮沈式生け簀１を水面下から上昇させる場合には、空気出入用パイプ２３を通じて空気供給源から空気が供給される。その場合には開閉弁２４は開き、空気出入用パイプ２３から浮力調整室２１に空気が供給される。浮力調整室２１が所定量以上の空気で満たされる場合には上部枠体２には供給された空気によって浮力が発生し、その一方で、浮力調整室２１が所定量以上の海水叉は淡水で満たされる場合には浮力が生じない構造になっている。
【００２０】
浮力調整室２１の下部には海水叉は淡水の出し入れのための水出入用ホース２５が取り付けられている。水出入用ホース２５はその一端は浮力調整室２１に連通し、他端は水中に開通して没している。この水出入用ホース２５には開閉弁は取り付けられてなく、浮力調整室２１は水出入用ホース２５を通じて水中側と常時、連通状態になっている。
【００２１】
つまり浮力調整室２１の空気の圧力が弱い場合には、この水出入用ホース２５を通じて外の海水叉は淡水が浮力調整室２１内に入る。空気出入用パイプ２３を通じて空気が供給された場合には、その浮力調整室２１内には注入された空気の圧力によって内部の海水叉は淡水は水出入用ホース２５を通じて、海水叉は淡水中に排出される。
【００２２】
上部枠体２と同形の環状例えば円周形の下部枠体３には上部枠体２と同様に例えばプラスチックパイプが使用されている。下部枠体３の断面も円形になっているが、上部枠体２と異なり、浮力が常に生じないよう、全体として海水や淡水より比重が大きくなるように構成されている。下部枠体３の断面の径は上部枠体２よりも小さく、その内部は中空になっているが、その中空の内部には海水や淡水より比重が大きい材料が充填されている。
【００２３】
図１〜図３に図示するように、上部枠体２の円周形の環状の中心部には上部中央安定体５が配置されている。上部中央安定体５にはその周囲の環状の上部枠体２に対して複数の索状５１が放射状に取り付けられている。図面では十字状に取り付けられている。各索状５１はその一端が上部中央安定体５に連結され、他端は上部枠体２に連結されている。上部中央安定体５はこの放射状に配置された複数の索状５１によって、上部枠体２の円周形の環状の中心部に保持される。
【００２４】
上部中央安定体５は上部枠体２の円周形の環状の中心部に位置して、立体型の浮沈式生け簀１全体の上部側を水面上で浮力により水平に安定させる機能を果たすものである。上部中央安定体５は立体型の浮沈式生け簀１の全体の重心位置の真上に配置されて、浮力によって常に上向きの力を生じさせることで、下向きに力を生じさせる下部中央安定用錘６との協働により、立体型の浮沈式生け簀１の全体に上下向きのモーメントが生じないようにして、立体型の浮沈式生け簀１全体の上部側を水面上に水平に安定させる。特に、水面が波立つ海域で浮沈式生け簀１を使用する場合にその効力を遺憾なく発揮する。
【００２５】
上部中央安定体５には浮力が発生するように、内部が中空になっていて、上部枠体２と同様に、この中空の内部には空気が入れられており、内部の空気によって上部中央安定体５には浮力が生じる構造になっている。上部中央安定体５の内部の空気は上部枠体２と同様に出し入れができ、浮沈式生け簀１を水中に沈める場合には内部の空気が排出されて、その代わりに海水叉は淡水が流入し、水中にある浮沈式生け簀１を上昇させる場合には内部に空気を強制注入して海水叉は淡水を排出して、浮力を生じさせる構造になっている。
【００２６】
下部枠体３の円周形の環状の中心部には下部中央安定用錘６が配置されている。下部中央安定用錘６にはその周囲の環状の下部枠体３に対して複数の索状６１が放射状に取り付けられている。図面では十字状に取り付けられている。各索状６１はその一端が下部中央安定用錘６に連結され、他端は下部枠体３に連結されている。
【００２７】
下部中央安定用錘６は例えば図５に図示するような構造のものが使用される。下部中央安定用錘６は内部に空洞を有する円筒形の形状を有する鋼製の錘枠体６２と、錘枠体６２の開口する上面に取り付けられた鋼製の蓋体６３から構成されている。錘枠体６２の空洞の内部には錘となるコンクリートが充填されている。
【００２８】
蓋体６３は錘枠体６２の上端周縁に形成されたリング状のフランジにボルト・ナット６４により外れないように取り付けられ、内部の錘となるコンクリートの逸脱を防いでいる。叉錘枠体６２の外周側面には各索状６１の一端を連結するための鋼製の連結受具６５がその円周方向に等間隔で例えば４箇所にそれぞれ例えば溶着して突設されている。
【００２９】
下部中央安定用錘６は放射状に配置された上記の複数の索状６１によって、下部枠体３の円周形の環状の中心部に保持される。下部中央安定用錘６は、下部枠体３の内側に取り付けられたネット４から少し離れた下方の位置になるように、索状６１はすこし長めのものが取り付けられていて、下向きにＶ字型に撓んだ状態で取り付けられている。
【００３０】
下部中央安定用錘６は下部枠体３の円周形の環状の中心部に位置して、立体型の浮沈式生け簀１全体の下部側を水中で安定させる機能を果たすものである。下部中央安定用錘６は立体型の浮沈式生け簀１の全体の重心位置の真下に配置されて、錘の自重によって常に下向きの力を生じさせることで、上記の上向きに力を生じさせる上部中央安定体５との協働により、立体型の浮沈式生け簀１の全体に上下向きのモーメントが生じないようにして、立体型の浮沈式生け簀１全体の下部側を水中に安定させる。
【００３１】
次に、上記発明を実施するための形態の構成に基づく作用について以下説明する。
現場近くの陸上で、浮沈式生け簀１を組み立てた後、クレーンで吊って海水中または淡水中に入れ、これを船で曳航して、所定の水域に移動する。この場合には、水面に浮くように、上部枠体２と上部中央安定体５にはそれぞれ空気を入れておき、浮力がそれぞれ働くようにしておく。
【００３２】
現場の水域で、浮沈式生け簀１を必要に応じて、沈めたり浮かしたりする時には、コンプレッサーを使って上部枠体２の浮力調整室２１と上部中央安定体５に空気を入れ、浮力調整室２１から空気を放出したい場合には開閉弁２４を開くと、水出入用ホース２５から海水叉は淡水が流入し、流入する海水叉は淡水によって空気は外部に放出される。
【００３３】
そして、浮沈式生け簀１を沈めたい場合には、空気出入用パイプ２３の開閉弁２４を開けると、浮力調整室２１内の空気より海水叉は淡水の圧力が勝るため、水出入用ホース２５から海水または淡水が入る。浮力調整室２１内の空気は流入する海水叉は淡水によって押圧されて開いた開閉弁２４から空気出入用パイプ２３を通じて外部に放出され、浮力調整室２１内には、水出入用ホース２５を通じて流入する海水または淡水で満たされる。これにより、上部枠体２の比重が、海水または淡水より重たくなるため、浮沈式生け簀１は水面下に沈む。
【００３４】
反対に、水面下に沈んでいる浮沈式生け簀１を浮上させたい場合には、図示しないコンプレッサーを使って、浮力調整室２１の内部に空気を圧入する。また、上部中央安定体５にも空気を圧入する。圧入された空気は空気出入用パイプ２３を通じて、浮力調整室２１内に入る。浮沈式生け簀１が水面下に沈んでいる場合には、開閉弁２４は開いたままの状態にあるので、開閉弁２４を開ける必要はない。
【００３５】
空気出入用パイプ２３を通じて空気を圧入すると、空気出入用パイプ２３の先端から浮力調整室２１内に空気が流入し始める。そして、流入した空気は、浮力調整室２１の内部の海水または淡水に圧力をかける。空気は海水または淡水より軽いため、海水または淡水の上方に位置し、その上方から下方の海水叉は淡水に向かって圧力を及ぼして押圧する。
【００３６】
押圧された海水叉は淡水は、下部に取り付けられている水出入用ホース２５から、海水中叉は淡水に強制的に排出される。そして、浮力調整室２１が所定量の空気で満たされて浮力が発生したら、開閉弁２４を閉める。浮力調整室２１内の空気の圧力は水出入用ホース２５から流入しようとする海水叉は淡水の水圧よりも高いため、海水叉は淡水は開通している水出入用ホース２５を通じて流入することはない。これにより、水面下の浮沈式生け簀１は上昇して、水面上に浮き上がるのである。
【００３７】
空気出入用パイプ２３を通じて浮力調整室２１の内部に空気を圧入する場合において、浮力調整室２１が設けられた上部枠体２には、上向きの力Σｆｉが生じる（図６参照）。上向きの力ｆｉは分割された各浮力調整室２１に作用する力であり、上部枠体２の全体には、これらの各力ｆｉを合計した上向きの力Σｆｉが生じることになる。
【００３８】
また、環状中央に上部中央安定体５が配置されている場合には、この上向きの力Σｆｉに加えて、その環状中央に配置された上部中央安定体５には空気が圧入されて浮力が生じて、上向きの力Ｆ１が生じる。このときには上向きの力はΣｆｉ＋Ｆ１となる（図６参照）。
【００３９】
上向きの力Σｆｉが生じる上部枠体２及び上向きの力Ｆ１が生じる上部中央安定体５は立体型の浮沈式生け簀１の重心位置Ｇの真上の上方に位置し、また、浮沈式生け簀１の重心位置Ｇの真下の下方には、自重によって常に下向きの力Ｆ２が生じている下部中央安定用錘６が配置されている。このとき、浮沈式生け簀１の重心位置Ｇには、浮沈式生け簀１の自重によって常に下向きの力Ｆ３が生じている。
【００４０】
このため、立体型の浮沈式生け簀１の中心部には、その上部側に上部枠体２及び上部中央安定体５による上向きの力Σｆｉ＋Ｆ１が生じ、その下部側に下向きの力Ｆ２が生じるため、上下に回転する方向にモーメントは生ぜず、逆に、生け簀全体を上下向きに回転するのを阻止する方向にモーメントが発生するので、生け簀１の昇降時に生け簀１の上部側が傾くのを確実に防止することができる。
【００４１】
また、環状中央に上部中央安定体５が配置されている場合、立体型の浮沈式生け簀１の中心部には、その上部側に上部中央安定体５による上向きの力Ｆ１が生じ、その下部側に下向きの力Ｆ２が生じるため、上下に回転する方向にモーメントは生ぜず、逆に、生け簀全体を上下向きに回転するのを阻止する方向にモーメントが発生するので、生け簀１の昇降時に生け簀１の上部側が傾くのを確実に防止することができ、空気の排出時に傾いた浮力調整室２１の内部に空気が残留して、浮沈式生け簀１が沈下しなかったり、空気の圧入時に傾いた浮沈式生け簀１の底部側に海水叉は淡水が残留して浮上しないという不都合が生じることはない。
【００４２】
なお、この発明は上記発明を実施するための形態に限定されるものではなく、この発明の精神を逸脱しない範囲で種々の改変をなし得ることは勿論である。
【符号の説明】
【００４３】
１    浮沈式生け簀
１１    索状
１１ａ  索状
２    上部枠体
２ａ  手摺
２１    浮力調整室
２２    仕切り
２３    空気出入用パイプ
２４    開閉弁
２５    水出入用ホース
３    下部枠体
４    ネット
５    上部中央安定体
５１    索状
６    下部中央安定用錘
６１    索状
６２    錘枠体
６３    蓋体
６４    ボルト・ナット
６５    連結受具
ｆｉ  上部枠体の各浮力調整室による上向きの力
Σｆｉ  上部枠体による上向きの力
Ｆ１  上部中央安定体による上向きの力
Ｆ２  下部中央安定用錘による下向きの力
Ｆ３  浮沈式生け簀の自重方向
Ｇ    浮沈式生け簀の重心位置
【図１】
0005605924.tif 000002
【図２】
0005605924.tif 000003
【図３】
0005605924.tif 000004
【図４】
0005605924.tif 000005
【図５】
0005605924.tif 000006
【図６】
0005605924.tif 000007